(57)【要約】【課題】本発明は映像切換部又は映像拡大縮小合成部が故障した場合であっても、正常時に表示していた全ての映像を表示することが可能なマルチビジョン装置の提供を目的とする。【解決手段】本発明のマルチビジョン装置は１つの画面を構成するように配列された複数のディスプレイ５と、映像信号の拡大、縮小および合成を行う複数の映像拡大縮小合成部と、複数のディスプレイ５および複数の映像拡大縮小合成部に対する映像信号の流れを制御する複数の映像信号切替部と、複数の映像信号切替部に対して複数の映像信号を分配する入力信号分配部２と、複数の映像拡大縮小合成部および複数の映像信号切替部を制御する制御部６と、を備え、制御部６は、映像信号切替部または映像拡大縮小合成部の故障を検知した場合、故障が原因で画面に表示されなくなる映像信号がないように、映像信号切替部または映像拡大縮小合成部を制御する。【選択図】図１
2017090520.tif 000002
【特許請求の範囲】
【請求項１】
入力される複数の映像信号を表示するマルチビジョン装置であって、
１つの画面を構成するように配列された複数のディスプレイと、
前記映像信号の拡大、縮小および合成を行う複数の映像拡大縮小合成部と、
前記複数のディスプレイおよび前記複数の映像拡大縮小合成部に対する前記映像信号の流れを制御する複数の映像信号切替部と、
前記複数の映像信号切替部に対して前記複数の映像信号を分配する入力信号分配部と、
前記複数の映像拡大縮小合成部および前記複数の映像信号切替部を制御する制御部と、
を備え、
前記制御部は、前記映像信号切替部または前記映像拡大縮小合成部の故障を検知した場合、前記故障が原因で前記画面に表示されなくなる映像信号がないように、前記映像信号切替部または前記映像拡大縮小合成部を制御する、
マルチビジョン装置。
【請求項２】
前記複数の映像信号切替部のうち少なくとも１つの前記映像信号切替部が故障した場合、前記制御部は、前記映像拡大縮小合成部にて処理された映像信号が正常な前記映像信号切替部を経由して前記複数のディスプレイに送信されるように、正常な前記映像信号切替部および前記映像拡大縮小合成部を制御する、
請求項１に記載のマルチビジョン装置。
【請求項３】
前記複数の映像拡大縮小合成部のうち少なくとも１つの前記映像拡大縮小合成部が故障した場合、前記制御部は故障した前記映像拡大縮小合成部に入力されていた映像信号が正常な前記映像拡大縮小合成部に入力されるように前記映像信号切替部を制御し、
前記入力信号分配部に入力される映像信号の個数が、正常な前記映像拡大縮小合成部で一度に処理可能な映像信号の個数を超えている場合、前記制御部は前記映像信号切替部を制御して、正常な前記映像拡大縮小合成部に入力する映像信号を時間周期で切り替える、
請求項１に記載のマルチビジョン装置。
【請求項４】
前記時間周期は、前記ディスプレイのリフレッシュレート以上である、
請求項３に記載のマルチビジョン装置。
【請求項５】
前記制御部は、前記複数の映像拡大縮小合成部の全ての故障を検知した場合、前記複数のディスプレイの各々に前記複数の映像信号の各々を表示させる、
請求項１に記載のマルチビジョン装置。
【請求項６】
前前記入力信号分配部に入力される映像信号の個数が前記複数のディスプレイの個数を超えている場合、
前記制御部は前記ディスプレイに表示する映像信号を時間周期で切り替える、
請求項５に記載のマルチビジョン装置。
【発明の詳細な説明】
【技術分野】
【０００１】
本発明はマルチビジョン装置に関し、特に入力される複数の映像信号を表示するマルチビジョン装置に関する。
【背景技術】
【０００２】
従来、複数のディスプレイを格子状に配置し、１つの画面として表示可能にするマルチビジョンシステムが電力や交通などインフラ分野の監視制御システムにおいて広く用いられている。監視分野では限られたディスプレイ領域で、一度に多くの情報を監視したいというニーズがある。そのため、監視カメラの映像、ＰＣ（Ｐｅｒｓｏｎａｌ  Ｃｏｍｐｕｔｅｒ）の映像などの複数の映像を重ね合わせて表示するオーバーレイ技術が一般に用いられている。また、監視制御は一時の停滞も許されない分野であり、監視映像や監視情報を表示するマルチビジョンシステムには高度な信頼性が要求されている（例えば、特許文献１〜３参照）。
【先行技術文献】
【特許文献】
【０００３】
【特許文献１】特開２０１４−１３７４３１号公報
【特許文献２】特開２０００−０８９７３８号公報
【特許文献３】特開２０１３−００３４２０号公報
【発明の概要】
【発明が解決しようとする課題】
【０００４】
特許文献１には、何らかの影響でベースＰＣから出力されるベース映像に異常が認められた場合の縮退運転方法について記載されている。しかしながら、オーバーレイ装置が故障した際には、映像が全く表示できなくなるという問題があった。
【０００５】
特許文献２では一部のディスプレイが故障した場合に、映像の縮小、切換、スクロールなどを用いた縮退運転方法が記載されている。しかしながら、画面制御装置や大画面サーバが故障した際には、映像が全く表示できなくなるという問題があった。
【０００６】
特許文献３では、一部のディスプレイが故障した場合、故障したディスプレイ部に本来表示されるはずの映像情報を拡大縮小等してウィンドウ化し、他の正常なディスプレイにオーバーレイ表示する縮退方法が開示されている。しかしながら、マルチディスプレイ表示計算機が故障した際の対処法について開示がなく、その場合の継続運用は困難であった。
【０００７】
本発明は、以上のような課題を解決するためになされたものであり、映像切換部又は映像拡大縮小合成部が故障した場合であっても、正常時に表示していた全ての映像を表示することが可能なマルチビジョン装置の提供を目的とする。
【課題を解決するための手段】
【０００８】
本発明に係るマルチビジョン装置は、入力される複数の映像信号を表示するマルチビジョン装置であって、１つの画面を構成するように配列された複数のディスプレイと、映像信号の拡大、縮小および合成を行う複数の映像拡大縮小合成部と、複数のディスプレイおよび複数の映像拡大縮小合成部に対する映像信号の流れを制御する複数の映像信号切替部と、複数の映像信号切替部に対して複数の映像信号を分配する入力信号分配部と、複数の映像拡大縮小合成部および複数の映像信号切替部を制御する制御部と、を備え、制御部は、映像信号切替部または映像拡大縮小合成部の故障を検知した場合、故障が原因で画面に表示されなくなる映像信号がないように、映像信号切替部または映像拡大縮小合成部を制御する。
【発明の効果】
【０００９】
本発明に係るマルチビジョン装置によれば、複数の映像信号切換部、複数の映像拡大縮小合成部、複数のディスプレイの一部が故障した場合でも、正常時に表示していた全ての映像を表示することが可能である。
【図面の簡単な説明】
【００１０】
【図１】実施の形態１に係るマルチビジョン装置のブロック図である。
【図２】実施の形態１に係るマルチビジョン装置のハードウェア構成図である。
【図３】実施の形態１に係るマルチビジョン装置の正常時の動作を示すフローチャートである。
【図４】実施の形態１に係るマルチビジョン装置の合成映像の模式図である。
【図５】実施の形態１に係るマルチビジョン装置の第１の映像信号切替部が故障した場合の動作を示すフローチャートである。
【図６】実施の形態２に係るマルチビジョン装置の第１の映像拡大縮小合成部が故障した場合の動作を示すフローチャートである。
【図７】実施の形態２に係るマルチビジョン装置の合成映像の模式図である。
【図８】実施の形態３に係るマルチビジョン装置の第１、第２の映像拡大縮小合成部が故障した場合の動作を示すフローチャートである。
【図９】実施の形態３に係るマルチビジョン装置の表示映像の模式図である。
【図１０】実施の形態４に係るマルチビジョン装置の表示映像の模式図である。
【発明を実施するための形態】
【００１１】
＜実施の形態１＞
＜構成＞
図１は、実施の形態１におけるマルチビジョン装置のブロック図である。図１に示すように、マルチビジョン装置は、複数のディスプレイ５、第１、第２の映像拡大縮小合成部４ａ，４ｂ、第１、第２の映像信号切替部３ａ，３ｂ、入力信号分配部２および制御部６を備える。
【００１２】
マルチビジョン５０は、１つの画面を構成するように配列した複数のディスプレイ５を備える。例えば、縦２段、横３列の合計６個のディスプレイ５が１つの画面を構成している。入力信号分配部２には、映像信号群１（例えば５個の映像信号Ａ〜Ｅ）が入力される。ここで、映像信号とは例えばＰＣ画面の映像、監視カメラの映像信号などである。なお、図１において、実線の矢印は映像信号の流れを示している。１本の矢印に対して複数の映像信号であってもよい。また、破線は制御信号を示している。
【００１３】
第１、第２の映像拡大縮小合成部４ａ，４ｂのそれぞれは、入力された複数の映像を拡大又は縮小し、複数の映像を重ね合わせる等の合成処理を行って出力する。第１、第２の映像拡大縮小合成部４ａ，４ｂのそれぞれが一度に合成処理できる映像信号の個数には、入力信号数やハードウェアの制約等による制限がある。本実施の形態１では、一度に合成できる映像信号の個数が４の場合を想定する。
【００１４】
第１、第２の映像信号切替部３ａ，３ｂ、のそれぞれは、マルチビジョン５０および第１、第２の映像拡大縮小合成部４ａ，４ｂに対する映像信号の流れを制御する。制御部６は、第１、第２の映像拡大縮小合成部４ａ，４ｂ、第１、第２の映像信号切替部３ａ，３ｂ、入力信号分配部２およびマルチビジョン５０を制御する。
【００１５】
後述するように、制御部６は、第１、第２の映像信号切替部３ａ，３ｂまたは映像拡大縮小合成部４ａ，４ｂの故障を検知する。故障を検知すると、制御部６は、故障が原因で画面に表示されなくなる映像信号がないように、入力信号分配部２、第１、第２の映像信号切替部３ａ，３ｂまたは映像拡大縮小合成部４ａ，４ｂを制御する。
【００１６】
図２は、本実施の形態１におけるマルチビジョン装置のハードウェア構成図である。映像分配部２は入力信号を複数に分配して出力するもので、例えば分配器２０により実現される。第１、第２の映像切換部３ａ，３ｂは入力された信号を切換えて出力するもので、例えば、複数の入出力端子を有するマトリクススイッチャ３０ａ，３０ｂにより実現される。第１、第２の映像拡大縮小合成部４ａ，４ｂのそれぞれは、映像拡大縮小合成装置４０ａ，４０ｂによって実現される。
【００１７】
制御部６は、処理回路６０によって実現される。処理回路６０は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００１８】
処理回路６０が専用のハードウェアである場合、処理回路６０は、例えば、単一回路、複合回路、プログラム化したプロセッサ、並列プログラム化したプロセッサ、ＡＳＩＣ、ＦＰＧＡ、またはこれらを組み合わせたものが該当する。
【００１９】
処理回路６０がＣＰＵの場合、制御部６の機能はソフトウェア、ファームウェア、またはソフトウェアとファームウェアとの組み合わせにより実現される。ソフトウェアやファームウェアはプログラムとして記述され、メモリ６１に格納される。処理回路６０は、メモリ６１に記憶されたプログラムを読み出して実行することにより、制御部６の機能を実現する。また、このプログラムは、制御部６の手順や方法をコンピュータに実行させるものであるともいえる。ここで、メモリ６１とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００２０】
なお、制御部６の機能について、一部を専用のハードウェアで実現し、一部をソフトウェアまたはファームウェアで実現するようにしてもよい。制御部６は、汎用のコンピュータ制御用オペレーティングシステムが動作し、汎用のローカルエリアネットワーク（ＬＡＮ）通信規格等の通信インターフェースを備えるＰＣで実現できる。
【００２１】
マルチビジョン５０に備わる複数のディスプレイ５のそれぞれは、例えば、液晶ディスプレイである。また、ディスプレイ５は、例えばデジタル・マイクロミラー・デバイス（ＤＭＤ）を利用したプロジェクタ方式の表示装置であってもよい。
【００２２】
なお、マルチビジョン装置に備わる映像信号切換部は複数第であればよく、その個数は２個に限定されない。同様に、映像拡大縮小合成部は複数台であればよく、その個数は２個に限定されない。
【００２３】
＜動作＞
以下では、まず、故障が発生していない場合のマルチビジョン装置の動作を説明し、その次に第１の映像信号切替部３ａに故障が発生した場合のマルチビジョン装置の動作を説明する。
【００２４】
図３は、故障が発生していない場合のマルチビジョン装置の動作を示すフローチャートである。図４（ａ）、（ｂ）は映像信号の表示を説明する模式図である。ここでは、例えば５種類の映像信号Ａ〜Ｅをマルチビジョン５０に表示する場合を考える。
【００２５】
まず、入力信号分配部２に映像信号Ａ〜Ｅが入力される（ステップＳ１０１）。そして、映像信号分配部２は、第１、第２の映像信号切替部３ａ，３ｂのそれぞれに映像信号Ａ〜Ｅを入力する（ステップＳ１０２）。
【００２６】
次に、第１の映像信号切替部３ａは映像信号Ａ，Ｂ，Ｄ，Ｅを第１の映像拡大縮小合成部４ａに入力する。第１の映像拡大縮小合成部４ａは映像信号Ａ，Ｂ，Ｄ，Ｅを拡大、縮小および合成して、縦２段、横３列で構成されるマルチビジョン５０に適した解像度の合成映像Ａ１を生成する（ステップＳ１０３）。合成映像Ａ１の模式図を図４（ａ）に示す。
【００２７】
第１の映像拡大縮小合成部４ａで生成された合成映像Ａ１は、第２の映像信号切替部３ｂを経由して、第２の映像拡大縮小合成部４ｂに入力される（ステップＳ１０４）。また、第２の映像信号切替部３ｂは、映像信号Ｃを第２の映像拡大縮小合成部４ｂに入力する。第２の映像拡大縮小合成部４ｂは合成映像Ａ１に映像信号Ｃを拡大又は縮小して合成して、合成映像Ｂ１を生成する（ステップＳ１０５）。合成映像Ｂ１の模式図を図４（ｂ）に示す。
【００２８】
第２の映像拡大縮小合成部４ｂで生成された合成映像Ｂ１は、第１の映像信号切替部３ａを経由して、マルチビジョン５０に入力される（ステップＳ１０６）。そして、マルチビジョン５０は合成映像Ｂ１を表示する（ステップＳ１０７）。
【００２９】
以上のように、制御部６で、第１、第２の映像切換部３ａ，３ｂ、第１、第２の映像拡大縮小合成部４ａ，４ｂ、マルチビジョン５０の各部の制御を行うことで、映像の流れを制御し、正常時の表示状態（即ち、図４（ｂ））を得ている。
【００３０】
また、ステップＳ１０３，Ｓ１０５で第１、第２の映像拡大縮小合成部４ａ，４ｂを使用することで、オーバーレイ枚数を増やす効果がある。ただし、オーバーレイ枚数が少なく、第１の映像拡大縮小合成部４ａで全ての映像を合成できる場合は、ステップＳ１０４，Ｓ１０５は省略してもよい。
【００３１】
次に、制御部６が第１の映像切換部３ａの故障を検知した場合の動作について説明する。図５は、第１の映像切換部３ａが故障した場合のマルチビジョン装置の動作を示すフローチャートである。
【００３２】
まず、正常時と同様に入力信号分配部２に映像信号Ａ〜Ｅが入力される（ステップＳ２０１）。そして、正常時と同様に映像信号分配部２は、第１、第２の映像信号切替部３ａ，３ｂのそれぞれに映像信号Ａ〜Ｅを入力する（ステップＳ２０２）。
【００３３】
次に、第２の映像信号切替部３ｂは映像信号Ａ，Ｂ，Ｄ，Ｅを第１の映像拡大縮小合成部４ａに入力する。正常時と同様、第１の映像拡大縮小合成部４ａは映像信号Ａ，Ｂ，Ｄ，Ｅを拡大、縮小および合成して、合成映像Ａ１を生成する（ステップＳ２０３）。合成映像Ａ１の模式図を図４（ａ）に示す。
【００３４】
第１の映像拡大縮小合成部４ａで生成された合成映像Ａ１は、故障している第１の映像信号切替部３ａではなく、正常な第２の映像信号切替部３ｂを経由して、第２の映像拡大縮小合成部４ｂに入力される（ステップＳ２０４）。また、第２の映像信号切替部３ｂは、映像信号Ｃを第２の映像拡大縮小合成部４ｂに入力する。正常時と同様、第２の映像拡大縮小合成部４ｂは合成映像Ａ１に映像信号Ｃを拡大又は縮小して合成して、合成映像Ｂ１を生成する（ステップＳ２０５）。合成映像Ｂ１の模式図を図４（ｂ）に示す。
【００３５】
第２の映像拡大縮小合成部４ｂで生成された合成映像Ｂ１は、第２の映像信号切替部３ａを経由して、マルチビジョン５０に入力される（ステップＳ２０６）。そして、マルチビジョン５０は合成映像Ｂ１を表示する（ステップＳ２０７）。
【００３６】
このように、正常な映像信号切替部のみを映像信号が通るように制御部６が映像信号の流れを制御することにより、片方の映像信号切換部が故障した場合でも、正常時と同様の表示状態（即ち図４（ｂ））を保つことが可能である。
【００３７】
また、ステップＳ２０３，Ｓ２０５で第１、第２の映像拡大縮小合成部４ａ，４ｂを使用することで、オーバーレイ枚数を増やす効果がある。ただし、オーバーレイ枚数が少なく、第１の映像拡大縮小合成部４ａで全ての映像を合成できる場合は、ステップＳ２０４，Ｓ２０５は省略してもよい。
【００３８】
なお、第１の映像切換部３ａが故障し、第２の映像切換部３ｂが正常な場合について説明したが、第１の映像切換部３ａが正常で、第２の映像切換部３ｂが故障した場合についても、正常な映像切替部のみを使用するように制御を行うことで同様の動作が可能である。
【００３９】
なお、本実施の形態１のマルチビジョン装置は映像信号切替部を２個備える構成としたが、映像信号切替部の個数は複数であればこれに限定されない。少なくとも１台の映像切換部が正常に動作していれば、上記制御方法により正常時と同様の表示が可能である。
【００４０】
＜効果＞
本実施の形態１におけるマルチビジョン装置において、複数の映像信号切替部（第１、第２の映像信号切替部３ａ，３ｂ）のうち少なくとも１つの映像信号切替部が故障した場合、制御部６は、映像拡大縮小合成部（第１、第２の映像拡大縮小合成部４ａ，４ｂ）にて処理された映像信号が正常な映像信号切替部を経由して複数のディスプレイ５に送信されるように、正常な映像信号切替部および映像拡大縮小合成部を制御する。
【００４１】
従って、正常な映像信号切替部のみを映像信号が通るように制御部６が映像信号の流れを制御することにより、片方の映像信号切換部が故障した場合でも、正常時と同様の表示状態を保つことが可能である。
【００４２】
＜実施の形態２＞
本実施の形態２におけるマルチビジョン装置の構成は実施の形態１（図１、２）と同じため説明を省略する。本実施の形態２では、制御部６が第１の映像拡大縮小合成手段４ａの故障を検知した場合の動作を説明する。図６は、第１の映像拡大縮小合成部４ａが故障した場合のマルチビジョン装置の動作を示すフローチャートである。図７（ａ）、（ｂ）は映像信号の表示を説明する模式図である。実施の形態１と同様、５種類の映像信号Ａ〜Ｅをマルチビジョン５０に表示する場合を考える。
【００４３】
まず、入力信号分配部２に映像信号Ａ〜Ｅが入力される（ステップＳ３０１）。そして、正常時と同様、映像信号分配部２は、第１、第２の映像信号切替部３ａ，３ｂのそれぞれに映像信号Ａ〜Ｅを入力する（ステップＳ３０２）。
【００４４】
次に、第１の映像信号切替部３ａは映像信号Ａ，Ｂ，Ｄ，Ｅを第２の映像拡大縮小合成部４ｂに入力する。第２の映像拡大縮小合成部４ｂは映像信号Ａ，Ｂ，Ｄ，Ｅを拡大、縮小および合成して、合成映像Ａ１を生成する。合成映像Ａ１の模式図を図７（ａ）に示す。また、第１の映像信号切替部３ａは映像信号Ｂ，Ｄ，Ｅを第２の映像拡大縮小合成部４ｂに入力し、第２の映像信号切替部３ｂは映像信号Ｃを第２の映像拡大縮小合成部４ｂに入力する。第２の映像拡大縮小合成部４ｂは映像信号Ｂ，Ｃ，Ｄ，Ｅを拡大、縮小および合成して、合成映像Ａ２を生成する。合成映像Ａ１の模式図を図７（ａ）に示す。制御部６は、第１、第２の映像信号切替部３ａ，３ｂおよび第２の映像拡大縮小合成部４ｂを制御して、以上で説明した合成映像Ａ１，Ａ２の生成を時間周期で交互に行わせる（ステップＳ３０３）。ここで、合成映像Ａ１は正常時に第１の映像拡大縮小合成部４ａで合成していた映像（図４（ａ）を参照）である。また、合成映像Ａ２は正常時に第２の映像拡大縮小合成部４ｂで合成していた映像（図４（ｂ）を参照）から映像信号Ａを除いた映像である。
【００４５】
第２の映像拡大縮小合成部４ｂで生成された合成映像Ａ１又はＡ２は、第１の映像信号切替部３ａを経由して、マルチビジョン５０に時間周期的に出力される（ステップＳ３０４）。そして、マルチビジョン５０は合成映像Ａ１，Ａ２を時間周期的に表示する（ステップＳ３０５）。
【００４６】
このように制御部６が各部を制御することで、第１の映像拡大縮小合成手段４ａが故障した場合であっても、正常時にマルチビジョン５０に表示していた全ての映像を時間周期的にマルチビジョン５０に表示することが可能となる。
【００４７】
上記のように時間周期的な合成および表示を行うのは、第１、第２の映像拡大縮小合成部４ａ，４ｂのそれぞれにおいて一度に合成できる映像の個数が４個であるという制限がある場合を想定しているからである。オーバーレイ表示したい映像の個数が４個以下のときは、上述した時間周期的な制御を行わずに正常時と同様の表示が可能である。
【００４８】
また、時間周期の長さは任意であり、例えば、マルチビジョン５０の単面ディスプレイ５が有するリフレッシュレート以上の周波数に設定するのが好ましい。このように高速に合成映像Ａ１，Ａ２の表示を切り換えることで、人間の目が映像を時間積分し、２つの映像が同時に表示されているように見える。これにより、少なくとも１台の映像拡大縮小合成部が正常に動作していれば、正常時と同様の映像表示が可能となる。
【００４９】
＜効果＞
本実施の形態２におけるマルチビジョン装置において、複数の映像拡大縮小合成部（第１、第２の映像拡大縮小合成部４ａ，４ｂ）のうち少なくとも１つの映像拡大縮小合成部が故障した場合、制御部６は故障した映像拡大縮小合成部に入力されていた映像信号が正常な映像拡大縮小合成部に入力されるように映像信号切替部（第１、第２の映像信号切替部３ａ，３ｂ）を制御し、入力信号分配部２に入力される映像信号の個数が、正常な映像拡大縮小合成部で一度に処理可能な映像信号の個数を超えている場合、制御部６は映像信号切替部を制御して、正常な映像拡大縮小合成部に入力する映像信号を時間周期で切り替える。
【００５０】
映像拡大縮小合成部が故障した場合であっても、本実施の形態２におけるマルチビジョン装置においては、正常な映像拡大縮小合成部のみを用いて映像の合成処理を行う。また、入力される映像信号の個数が正常な映像拡大縮小合成部で一度に合成処理が可能な映像信号の個数を超えている場合は、時間周期で異なる組み合わせの映像信号の合成を行い、時間周期で表示を切り替える。これにより、正常時に表示されていた映像信号を全て表示することが可能である。
【００５１】
また、本実施の形態２におけるマルチビジョン装置において、正常な映像拡大縮小合成部に入力する映像信号を切り替える時間周期は、ディスプレイ５のリフレッシュレート以上である。
【００５２】
ディスプレイ５が有するリフレッシュレート以上の周波数に時間周期を設定することにより、高速に合成映像Ａ１，Ａ２の表示を切り換わる。人間の目が切り替わる映像を時間積分し、２つの映像が同時に表示されているように見える。これにより、少なくとも１台の映像拡大縮小合成部が正常に動作していれば、正常時と同様の映像表示が可能となる。
【００５３】
＜実施の形態３＞
本実施の形態３におけるマルチビジョン装置の構成は実施の形態１（図１、２）と同じため説明を省略する。本実施の形態３では、制御部６が全ての映像拡大縮小合成部（即ち、第１、第２の映像拡大縮小合成手段４ａ，４ｂ）の故障を検知した場合の動作を説明する。図８は、第１、第２の映像拡大縮小合成部４ａ，４ｂが故障した場合のマルチビジョン装置の動作を示すフローチャートである。図９（ａ）、（ｂ）は映像信号の表示を説明する模式図である。実施の形態１と同様、５個の映像信号Ａ〜Ｅをマルチビジョン５０に表示する場合を考える。
【００５４】
まず、入力信号分配部２に映像信号Ａ〜Ｅが入力される（ステップＳ４０１）。そして、映像信号分配部２は、第１、第２の映像信号切替部３ａ，３ｂのそれぞれに映像信号Ａ〜Ｅを入力する（ステップＳ４０２）。
【００５５】
次に、制御部６は、第１の映像信号切替部３ａが映像信号Ａ，Ｂ，Ｄ，Ｅをマルチビジョン５０に出力するように制御する（ステップＳ４０３）。これは、第１、第２の映像拡大縮小合成部４ａ，４ｂが故障していて使用できないためである。同様に、制御部６は、第２の映像信号切替部３ｂが映像信号Ｃをマルチビジョン５０に出力するように制御する（ステップＳ４０５）。
【００５６】
そして、図９に示すように、マルチビジョン５０において各ディスプレイ５に映像信号Ａ〜Ｅが表示される（ステップＳ４０５）。なお、映像信号の個数が５であり、ディスプレイ５の個数が６であるため、１つのディスプレイ５が余った状態となる（図９の２行３列目のディスプレイ）。このディスプレイ５には、例えば映像信号Ａ〜Ｅのうち、任意の映像信号を表示させてもよい。
【００５７】
＜効果＞
本実施の形態３におけるマルチビジョン装置において、制御部６は、複数の映像拡大縮小合成部（第１、第２の映像拡大縮小合成部４ａ，４ｂ）の全ての故障を検知した場合、映像信号切替部（第１、第２の映像信号切替部３ａ，３ｂ）を制御して、複数のディスプレイ５の各々に複数の映像信号の各々を表示させる。
【００５８】
映像信号の合成が不能になった場合であっても、制御部６は各映像信号のそれぞれを各ディスプレイ５に表示させるように制御を行う。これにより、正常時に表示されていた映像信号を全て表示することが可能である。
【００５９】
＜実施の形態４＞
本実施の形態４におけるマルチビジョン装置の構成は実施の形態１（図１、２）と同じため説明を省略する。実施の形態３では、入力信号分配部２に入力される映像信号の個数がマルチビジョン５０に備わるディスプレイ５の個数以下の場合について説明した。本実施の形態４では、入力信号分配部２に入力される映像信号の個数がマルチビジョン５０に備わるディスプレイ５の個数よりも多い場合において、全ての映像拡大縮小合成部が故障した時の動作を説明する。
【００６０】
本実施の形態４では、図１０（ａ）に示すように、正常時に８個の映像信号Ａ〜Ｈをマルチビジョン５０に表示しているとする。図１０（ａ）に示す表示を行っている時に、第１、第２の映像拡大縮小合成部４ａ，４ｂが故障した場合、映像の合成が行えなくなるため、実施の形態３と同様に、各映像信号Ａ〜Ｈを各ディスプレイ５に表示する。しかしながら、本実施の形態４では、映像信号Ａ〜Ｈの個数（８個）がディスプレイ５の個数（６個）よりも多いため、制御部６は、時間周期的にディスプレイ５の表示を切り替えて全ての映像信号が表示されるようにマルチビジョン５０の制御を行う。
【００６１】
具体的には、制御部６は、マルチビジョン５０の表示を図１０（ｂ）と図１０（ｃ）で時間周期的に切り替える。ここで、時間周期の長さは任意であり例えば１０秒である。図１０（ｂ）においては、映像信号Ａ〜Ｆが各ディスプレイ５に表示される。図１０（ｃ）においては、図１０（ｂ）において映像信号Ａ，Ｂを表示していた各ディスプレイ５に映像信号Ｇ，Ｈを表示し、他のディスプレイ５の表示はそのままとする。このように、図１０（ｂ）と図１０（ｃ）の表示を時間周期的に切り替えることにより、正常時に表示していた全ての映像信号Ａ〜Ｈをマルチビジョン５０に表示させることが可能である。
【００６２】
＜効果＞
本実施の形態４におけるマルチビジョン装置において、入力信号分配部２に入力される映像信号の個数が複数のディスプレイ５の個数を超えている場合、制御部６はディスプレイ５に表示する映像信号を時間周期で切り替える。
【００６３】
本実施の形態４におけるマルチビジョン装置は、入力される映像信号の個数がディスプレイ５の個数を超えている場合は、ディスプレイ５に表示させる映像信号を時間周期で切り替える。これにより、正常時に表示されていた映像信号を全て表示することが可能である。
【００６４】
本実施の形態１から４におけるマルチビジョン装置は、入力される複数の映像信号を表示するマルチビジョン装置であって、１つの画面を構成するように配列された複数のディスプレイ５と、映像信号の拡大、縮小および合成を行う複数の映像拡大縮小合成部（第１、第２の映像拡大縮小合成部４ａ，４ｂ）と、複数のディスプレイ５および複数の映像拡大縮小合成部に対する映像信号の流れを制御する複数の映像信号切替部（第１、第２の映像信号切替部３ａ，３ｂ）と、複数の映像信号切替部に対して複数の映像信号を分配する入力信号分配部２と、複数の映像拡大縮小合成部および複数の映像信号切替部を制御する制御部６と、を備え、制御部６は、映像信号切替部または映像拡大縮小合成部の故障を検知した場合、故障が原因で画面に表示されなくなる映像信号がないように、映像信号切替部または映像拡大縮小合成部を制御する。
【００６５】
映像信号切替部が故障した場合であっても、本実施の形態１では正常な映像信号切替部のみを用いて映像信号の流れを制御する。これにより、正常時の表示状態を保つことが可能である。また、映像拡大縮小合成部が故障した場合であっても、後述する実施の形態２では、正常な映像拡大縮小合成部のみを用いて映像信号の合成を行う。また、一度の合成処理で全ての映像信号を合成できない場合は、時間周期で合成処理および表示状態を切り替える。これにより、正常時の表示状態を保つことが可能である。また、全ての映像拡大縮小合成部が故障した場合には、後述する実施の形態３、４では、各映像信号を各ディスプレイ５に表示させる制御を行う。これにより、正常時に表示されていた映像信号を全て表示することが可能である。このように、本実施の形態１から４におけるマルチビジョン装置においては、映像信号切替部または映像拡大縮小合成部に故障が発生した場合であっても、故障が原因で画面に表示されなくなる映像信号がない。従って、故障が発生した場合であっても、マルチビジョン装置を継続して運用することが可能である。
【００６６】
本発明の持つ社会的意義や特徴について述べる。監視システムは、我々が日常生活を送るうえで欠かすことができない公共インフラが正常に動作するために不可欠である。東日本大震災以降、電力、交通などのインフラ監視システムはさらにその重要性が増している。
【００６７】
例えば、交通事故や地震災害発生時などの人身に関わる事案が発生した際に早急な対応が要求されるインフラ監視で、システム構成機器が故障したことにより業務が滞るなどはあってはならない。
【００６８】
監視システムの信頼性を担保するため、複数の機器でシステムを構成し、１台を本番系、それ以降を予備系として待機させるシステムの多重化が主流となっている。しかしながら、全てのシステム構成機器を単純に予備系統として待機させておくことは、無駄も多く、設置スペースやコストの観点から実用化に至らないこともある。
【００６９】
また、機器の故障が発生した場合、その機器が復旧するまで縮退運転して運用を続けるが、監視業務従事者は表示されている映像の数、レイアウト等、普段と異なる運用を強いられることになり、少なからず業務に支障をきたすことになる。そのため、機器故障発生時でも正常時の運用状況と表示状態が変わらず、継続運用が可能なシステムが望ましい。
【００７０】
本発明は、制御手段により、故障検出時に正常動作する各手段を制御することで、正常時の映像を全て表示することができ、かつ複数の機器が故障した場合を除き、映像のレイアウトを全く変えずに運用することが可能となる。
【００７１】
また、複数の入力端子口を持つモニタは、入力信号が何らかの影響で無信号になったときでも、それを自動判別し、正常な入力に自動切換できるものが存在する。従来システムでは、各モニタに１本の映像信号しか入力しないシステムが多く、前記モニタの自動判別切換機能は利用できない構成が一般的であった。
【００７２】
しかし、本発明の構成を利用し、自動判別切換機能を有するマルチビジョンと併用すれば、一方の映像が途絶えたときでも、モニタ側にて自動で映像出力切換が行われるため、ユーザーはシステムの故障を意識することなく、継続して運用することが可能となる。これは本構成が各モニタに複数の映像切換部からの映像信号が入力されているためである。
【００７３】
なお、本発明は、その発明の範囲内において、各実施の形態を自由に組み合わせたり、各実施の形態を適宜、変形、省略することが可能である。
【符号の説明】
【００７４】
１  入力信号群、２  入力信号分配部、３ａ  第１の映像信号切替部、３ｂ  第２の映像信号切替部、４ａ  第１の映像拡大縮小合成部、４ｂ  第２の映像拡大縮小合成部、５  ディスプレイ、６  制御部、２０  分配器、３０ａ，３０ｂ  マトリクススイッチャ、４０ａ，４０ｂ  映像拡大縮小合成装置、５０  マルチビジョン、６０  処理回路、６１  メモリ。
【図１】
2017090520.tif 000003
【図２】
2017090520.tif 000004
【図３】
2017090520.tif 000005
【図４】
2017090520.tif 000006
【図５】
2017090520.tif 000007
【図６】
2017090520.tif 000008
【図７】
2017090520.tif 000009
【図８】
2017090520.tif 000010
【図９】
2017090520.tif 000011
【図１０】
2017090520.tif 000012